Podtech/llm-jp-corpus-v4-ja_patent huggingface dataset:
【手続補正書】
【提出日】平成16年11月10日(2004.11.10)
【手続補正１】
【補正対象書類名】明細書
【補正対象項目名】請求項５
【補正方法】変更
【補正の内容】
【請求項５】
脆化係数ＫＧｆが、下記条件：
ＫＧｆ＜１．０７
［式中、
ＫＧｆ＝2.97x%Ｃｕ+3.2x(%Ｓｎ+%Ａｓ)+0.55x%Ａｌ+5.42x%Ｐ+0.98x%Ｎ
であり、そして%Ｃｕ、%Ｓｎ、%Ａｓ、%Ａｌ、%Ｐ、及び%Ｎは、鋼のＣｕ、Ｓｎ、Ａｓ、Ａｌ、Ｐ及びＮの各含有量を示している］
を満たすことを特徴とする、請求項１〜４のいずれか一項に記載の鋼。
【手続補正２】
【補正対象書類名】明細書
【補正対象項目名】００２０
【補正方法】変更
【補正の内容】
【００２０】
課題としているタイプの鋼中の粒界有効元素は、凝固工程の間、並びにホットフォーミング及び／又は所定の温度での熱処理の間に、結晶粒界において偏析することが見出された。前記偏析は、凝集力の低下をもたらし、従ってしばしばクラック形成の原因となる。本発明に係る鋼において脆化係数（ｅｍｂｒｉｔｔｌｅｍｅｎｔ  ｆａｃｔｏｒ）ＫＧｆが、下記条件：
ＫＧｆ＜１．０７
［ここで、脆化係数ＫＧｆは、式：
ＫＧｆ＝2.97x%Ｃｕ+3.2x(%Ｓｎ+%Ａｓ)+0.55x%Ａｌ+5.42x%Ｐ+0.98x%Ｎ
〔式中、%Ｃｕ、%Ｓｎ、%Ａｓ、%Ａｌ、%Ｐ、及び%Ｎは、鋼のＣｕ、Ｓｎ、Ａｓ、Ａｌ、Ｐ及びＮの各含有量を示している〕に従って計算される］
を満たす結果として、粒界有効元素のネガティブな影響、及び従って関連したクラック形成の危険性をねらい通りに最少にすることができる。
【手続補正書】
【提出日】平成17年1月14日(2005.1.14)
【手続補正１】
【補正対象書類名】明細書
【補正対象項目名】特許請求の範囲
【補正方法】変更
【補正の内容】
【特許請求の範囲】
【請求項１】  銅を１２〜２６重量％の範囲で含有する、鉄を基礎とする銅含有焼結鉄製品の製造方法であって、該銅含有焼結鉄製品が鉄マトリックス中にマルテンサイト構造を有し、
所望の組成を有する粉末混合物を製造し、前記粉末混合物が鉄をその一部として含有し、該鉄とは別にマルテンサイト促進物質を含有し、その際、鉄と銅の全含有量の少なくとも一部が、拡散結合された鉄−銅粉末及び予備合金された鉄−銅粉末から成る群から選ばれた鉄−銅材料により供給される工程と、
前記粉末混合物を圧縮して、製造すべき製品の圧粉体を形成する工程と、
前記圧粉体を焼結させ、ここで鉄マトリックス中にマルテンサイト構造を有するようにした工程と、
を含む焼結鉄製品の製造方法。
【請求項２】  前記銅含有量は、１５〜２０重量％の範囲にある、請求項１記載の方法。
【請求項３】  前記粉末混合物は、鋼粉末を含有する、請求項１又は２記載  の方法。
【請求項４】
前記鋼粉末は、クロムを含有する、請求項３記載の方法。
【請求項５】
前記鋼粉末は、モリブデンを含有する、請求項３記載の方法。
【請求項６】  前記鋼粉末は、ニッケルを含有する、請求項３記載の方法。  
【請求項７】  鋼粉末は、高速度鋼粉末である、請求項３記載の方法。
【請求項８】  前記鋼粉末は、Ｍ３／２鋼粉末である、請求項７記載の方法。
【請求項９】  前記鋼粉末は、ステンレス鋼粉末である、請求項３記載の方法。
【請求項１０】  前記ステンレス鋼粉末は、３１６鋼である、請求項９記載の方法。
【請求項１１】  前記粉末混合物は、炭素粉末を含有する、請求項１〜１０のいずれか１項記載の方法。
【請求項１２】  鉄−銅材料は、Ｆｅ−２０Ｃｕの重量％組成を有する、請求項１〜１１のいずれか１項記載の方法。
【請求項１３】  粉末混合物は、元素銅粉末も含む、請求項１〜１２のいずれか１項記載の方法。
【請求項１４】  粉末混合物は、マルテンサイトの形成を促進する元素を含む、請求項１〜１３のいずれか１項記載の方法。
【請求項１５】  元素は、クロム、モリブデン及びニッケルを含む群から選択される、請求項１４記載の方法。
【請求項１６】  焼結材料に極低温処置を施す工程を更に含む、請求項１〜１５のいずれか１項記載の方法。
【請求項１７】  焼結材料を焼戻す工程を更に含む、請求項１〜１６のいずれか１項記載の方法。
【請求項１８】  粉末混合物に二硫化モリブデン又は二硫化タングステンを供給する工程を更に含む、請求項１〜１７のいずれか１項記載の方法。
【請求項１９】  請求項１〜１８のいずれか１項記載の方法により製造された鉄を基礎とする材料の焼結製品。
【請求項２０】  製品は、内燃機関用はめ込弁座を含む、請求項１９記載の焼結製品。
【手続補正書】
【提出日】平成15年11月12日(2003.11.12)
【手続補正１】
【補正対象書類名】特許請求の範囲
【補正対象項目名】全文
【補正方法】変更
【補正の内容】
【特許請求の範囲】
【請求項１】
生物活性剤を約１〜１５重量％、１，２−ジステアロイル−ｓｎ−グリセロール−３−ホスホコリン（ＤＳＰＣ）と１，２−ジパルミトイル−ｓｎ−グリセロール−３−ホスホコリン（ＤＰＰＣ）との組み合わせを少なくとも約６５重量％、およびロイシンを約１０〜２０重量％含有してなる、生物活性剤の肺送達用噴霧乾燥粒子。
【請求項２】
約０．４ｇ／ｃｍ3 未満のタップ密度を有する請求項１記載の粒子。
【請求項３】
約０．２８ｇ／ｃｍ3 以下のタップ密度を有する請求項２記載の粒子。
【請求項４】
約０．２２ｇ／ｃｍ3 以下のタップ密度を有する請求項３記載の粒子。
【請求項５】
約０．１１ｇ／ｃｍ3 以下のタップ密度を有する請求項４記載の粒子。
【請求項６】
約０．０５ｇ／ｃｍ3 以下のタップ密度を有する請求項５記載の粒子。
【請求項７】
約５ミクロン〜約３０ミクロンの平均幾何学的直径を有する請求項１記載の粒子。 
【請求項８】
約１ミクロン〜約５ミクロンの空気力学的直径を有する請求項１記載の粒子。
【請求項９】
約１ミクロン〜約３ミクロンの空気力学的直径を有する請求項８記載の粒子。
【請求項１０】
約３ミクロン〜約５ミクロンの空気力学的直径を有する請求項８記載の粒子。
【請求項１１】
多糖類、糖類、アミノ酸、ポリマー、タンパク質、脂質、界面活性剤、コレステロール、脂肪酸、脂肪酸エステルおよびその任意の組み合わせからなる群より選ばれる化合物をさらに含んでなる請求項１記載の粒子。
【請求項１２】
生物活性剤を約５〜１０重量％含有してなる請求項１記載の粒子。
【請求項１３】
生物活性剤を約７〜９重量％含有してなる請求項１２記載の粒子。
【請求項１４】
生物活性剤がアルブテロール、サルメテロール、エストロン、タンパク質またはペプチド、親水性および疎水性からなる群より選択される請求項１記載の粒子。 
【請求項１５】
ＤＳＰＣおよびＤＰＰＣをＤＰＰＣ３部に対してＤＳＰＣ約１部、ＤＰＰＣ１部に対してＤＳＰＣ約３部、またはＤＰＰＣ１部に対してＤＳＰＣ約１部の比で含有してなる請求項１記載の粒子。 
【請求項１６】
ロイシンを約１５〜２０重量％含有してなる請求項１記載の粒子。
【請求項１７】
ロイシンを約１６重量％含有してなる請求項１６記載の粒子。
【請求項１８】
ヒトまたは獣医学的被験体の生理学的温度より高いマトリックス転移温度を有する請求項１記載の粒子。
【請求項１９】
約１時間より長い粒子からの生物活性剤の放出の半減期を有する請求項１記載の粒子。
【請求項２０】
制御放出非ポリマー粒子である請求項１記載の粒子。
【請求項２１】
処置、予防または診断を必要とする患者の肺系を経由する送達に使用できる請求項１〜２０いずれか記載の粒子。  
【請求項２２】
送達が主に深肺、中央気道、小気道または上気道に対して行われる請求項２１記載の粒子。 
【請求項２３】
送達が乾燥粉体吸入器により行われる請求項２１記載の粒子。
【請求項２４】
生物活性剤を約１〜１５重量％、１，２−ジステアロイル−ｓｎ−グリセロール−３−ホスホコリン（ＤＳＰＣ）と１，２−ジパルミトイル−ｓｎ−グリセロ−３−［ホスホ−ｒａｃ−（１−グリセロール）］（ＤＰＰＧ）との組み合わせを少なくとも約６５重量％、およびロイシンを約１０〜２０重量％含有してなる、生物活性剤の肺送達用粒子。
【請求項２５】
約０．４ｇ／ｃｍ3 未満のタップ密度を有する請求項２４記載の粒子。 
【請求項２６】
約５ミクロン〜約３０ミクロンの平均幾何学的直径を有する請求項２４記載の粒子。 
【請求項２７】
約１ミクロン〜約５ミクロンの空気力学的直径を有する請求項２４記載の粒子。 
【請求項２８】
多糖類、糖類、アミノ酸、ポリマー、タンパク質、脂質、界面活性剤、コレステロール、脂肪酸、脂肪酸エステルおよびその任意の組み合わせからなる群より選ばれる化合物をさらに含んでなる請求項２４記載の粒子。 
【請求項２９】
生物活性剤がアルブテロール、サルメテロール、エストロン、タンパク質またはペプチド、親水性および疎水性からなる群より選択される請求項２４記載の粒子。 
【請求項３０】
ＤＳＰＣおよびＤＰＰＧをＤＰＰＧ３部に対してＤＳＰＣ約１部、ＤＰＰＧ１部に対してＤＳＰＣ約３部またはＤＰＰＧ１部に対してＤＳＰＣ約１部の比で含有してなる請求項２４記載の粒子。 
【請求項３１】
ヒトまたは獣医学的被験体の生理学的温度より高いマトリックス転移温度を有する請求項２４記載の粒子。
【請求項３２】
約１時間より長い粒子からの生物活性剤の放出の半減期を有する請求項２４記載の粒子。
【請求項３３】
制御放出非ポリマー粒子である請求項２４記載の粒子。
【請求項３４】
処置、予防または診断を必要とする患者の肺系を経由する送達に使用できる請求項２４〜３３いずれか記載の粒子。  
【請求項３５】
送達が主に深肺、中央気道、小気道または上気道に対して行われる請求項３４記載の粒子。 
【請求項３６】
送達が乾燥粉体吸入器により行われる請求項３４記載の粒子。
【請求項３７】
生物活性剤を約１〜１５重量％、１，２−ジステアロイル−ｓｎ−グリセロ−３−［ホスホ−ｒａｃ−（１−グリセロール）］（ＤＳＰＧ）と１，２−ジパルミトイル−ｓｎ−グリセロール−３−ホスホコリン（ＤＰＰＣ）との組み合わせを少なくとも約６５重量％、およびロイシンを約１０〜２０重量％含有してなる、生物活性剤の肺送達用粒子。
【請求項３８】
約０．４ｇ／ｃｍ3 未満のタップ密度を有する請求項３７記載の粒子。 
【請求項３９】
約５ミクロン〜約３０ミクロンの平均幾何学的直径を有する請求項３７記載の粒子。 
【請求項４０】
約１ミクロン〜約５ミクロンの空気力学的直径を有する請求項３７記載の粒子。 
【請求項４１】
多糖類、糖類、アミノ酸、ポリマー、タンパク質、脂質、界面活性剤、コレステロール、脂肪酸、脂肪酸エステルおよびその任意の組み合わせからなる群より選ばれる化合物をさらに含んでなる請求項３７記載の粒子。 
【請求項４２】
生物活性剤がアルブテロール、サルメテロール、エストロン、タンパク質またはペプチド、親水性および疎水性からなる群より選択される請求項３７記載の粒子。 
【請求項４３】
粒子が、ＤＳＰＧおよびＤＰＰＣをＤＰＰＣ３部に対してＤＳＰＧ約１部、ＤＰＰＣ１部に対してＤＳＰＧ約３部またはＤＰＰＣ１部に対してＤＳＰＧ約１部の比で含有してなる請求項３７記載の粒子。 
【請求項４４】
ヒトまたは獣医学的被験体の生理学的温度より高いマトリックス転移温度を有する請求項３７記載の粒子。
【請求項４５】
約１時間より長い粒子からの生物活性剤の放出の半減期を有する請求項３７記載の粒子。
【請求項４６】
制御放出非ポリマー粒子である請求項３７記載の粒子。
【請求項４７】
処置、予防または診断を必要とする患者の肺系を経由する送達に使用できる請求項３７〜４６いずれか記載の粒子。  
【請求項４８】
送達が主に深肺、中央気道、小気道または上気道に対して行われる請求項４７記載の粒子。 
【請求項４９】
送達が乾燥粉体吸入器により行われる請求項４７記載の粒子。
【手続補正書】
【提出日】平成15年12月15日(2003.12.15)
【手続補正１】
【補正対象書類名】特許請求の範囲
【補正対象項目名】全文
【補正方法】変更
【補正の内容】
【特許請求の範囲】
【請求項１】
組成物であって、一日投薬基準で：
ビタミンＣのＲＤＡの約７〜１０倍；
ビタミンＥのＲＤＡの約１３〜１８倍；
β−カロテンの形態のビタミンＡのＲＤＡの約６〜１０倍；
亜鉛のＲＤＡの約４〜７倍；および
少なくとも１．６ｍｇの銅、
を含む、組成物。
【請求項２】
網膜の健康増強組成物であって、一日投薬基準で：
ビタミンＣのＲＤＡの約７〜１０倍；
ビタミンＥのＲＤＡの約１３〜１８倍；
β−カロテンの形態のビタミンＡのＲＤＡの約６〜１０倍；
亜鉛のＲＤＡの約４〜７倍；および
少なくとも１．６ｍｇの銅、
を含む、組成物。
【請求項３】
組成物を製造する方法であって：
約４２０ｍｇ以上かつ約６００ｍｇ以下のビタミンＣ、約４００ＩＵ以上かつ約５４０ＩＵ以下のビタミンＥ、約１７．２ｍｇ以上かつ約２８ｍｇ以下のβ−カロテン、約６０ｍｇ以上かつ約１００ｍｇ以下の亜鉛、および約１．６ｍｇ以上かつ約２．４ｍｇ以下の銅を適切な投薬形態にブレンドする工程を包含する、方法。
【請求項４】
前記組成物が、約４５０ｍｇ以上のビタミンＣ、約４００ＩＵ以上のビタミンＥ、約１７．２ｍｇ以上のβ−カロテン、約６８ｍｇ以上の亜鉛、および約１．６ｍｇ以上の銅を含む、請求項１または２に記載の組成物。
【請求項５】
前記ビタミンＣが、アスコルビン酸の形態で提供される、請求項１または２に記載の組成物。
【請求項６】
前記ビタミンＥが、ｄｌ−α酢酸トコフェロールの形態で提供される、請求項１または２に記載の組成物。
【請求項７】
前記組成物が、α−リポ酸、フェノール化合物、アントシアノシド、またはこれらの組み合わせを補充されている、請求項１または２に記載の組成物。
【請求項８】
前記亜鉛が、酸化亜鉛、グルコン酸亜鉛、またはこれらの組み合わせの形態で提供される、請求項１または２に記載の組成物。
【請求項９】
前記銅が、酸化銅、グルコン酸銅、またはこれらの組み合わせの形態で提供される、請求項１または２に記載の組成物。
【請求項１０】
前記ブレンドが、約４５０ｍｇ以上のビタミンＣ、約４００ＩＵ以上のビタミンＥ、約１７．２ｍｇ以上のβ−カロテン、約６８ｍｇ以上の亜鉛、および約１．６ｍｇ以上の銅を提供する、請求項３に記載の方法。
【請求項１１】
前記ビタミンＣが、アスコルビン酸の形態で提供される、請求項３に記載の方法。
【請求項１２】
前記ビタミンＥが、ｄｌ−α酢酸トコフェロールの形態で提供される、請求項３に記載の方法。
【請求項１３】
前記組成物が、α−リポ酸、フェノール化合物、アントシアノシド、またはこれらの組み合わせを補充されている、請求項３に記載の方法。
【請求項１４】
前記亜鉛が、酸化亜鉛、グルコン酸亜鉛、またはこれらの組み合わせの形態で提供される、請求項３に記載の方法。
【請求項１５】
前記銅が、酸化銅、グルコン酸銅、またはこれらの組み合わせの形態で提供される、請求項３に記載の方法。
【請求項１６】
前記組成物が、ヒトによる一日経口摂取のための１つ以上の錠剤に形成される、請求項１または２に記載の組成物。
【請求項１７】
前記組成物が、一日に二度の２つの錠剤の患者による経口摂取のために４つの錠剤に形成される、請求項１または２に記載の組成物。
【請求項１８】
前記組成物が、一日に二度摂取される２つの錠剤の形態で圧縮される、請求項３に記載の方法。
【請求項１９】
組成物であって、一日投薬基準で：
ビタミンＣのＲＤＡの約７〜１０倍；
ビタミンＥのＲＤＡの約１３〜１８倍；
ルテイン、ゼアキサンチン、またはこれらの原材料の組み合わせで置換されるかまたはこれらを補充されている、β−カロテンの形態のビタミンＡのＲＤＡの約６〜１０倍；
亜鉛のＲＤＡの約４〜７倍；および
少なくとも１．６ｍｇの銅、
を含む、組成物。
【請求項２０】
網膜の健康増強組成物であって、一日投薬基準で：
ビタミンＣのＲＤＡの約７〜１０倍；
ビタミンＥのＲＤＡの約１３〜１８倍；
ルテイン、ゼアキサンチン、またはこれらの原材料の組み合わせで置換されるかまたはこれらを補充されている、β−カロテンの形態のビタミンＡのＲＤＡの約６〜１０倍；
亜鉛のＲＤＡの約４〜７倍；および
少なくとも１．６ｍｇの銅、
を含む、組成物。
【請求項２１】
組成物を製造する方法であって：
約４２０ｍｇ以上かつ約６００ｍｇ以下のビタミンＣ、約４００ＩＵ以上かつ約５４０ＩＵ以下のビタミンＥ、ルテイン、ゼアキサンチン、またはこれらの原材料の組み合わせで置換されるかまたはこれらを補充されている、約１７．２ｍｇ以上かつ約２８ｍｇ以下のβ−カロテン、約６０ｍｇ以上かつ約１００ｍｇ以下の亜鉛、および約１．６ｍｇ以上かつ約２．４ｍｇ以下の銅を適切な投薬形態にブレンドする工程を包含する、方法。
【手続補正書】
【提出日】平成16年11月11日(2004.11.11)
【手続補正１】
【補正対象書類名】明細書
【補正対象項目名】特許請求の範囲
【補正方法】変更
【補正の内容】
【特許請求の範囲】
【請求項１】  式ＩＶ：
【化１】
2004520439.tif 000001
（式中、
Ｒ１＝Ｒ’Ｃ（Ｏ）、Ｒ’Ｓ（Ｏ）2
Ｒ’＝Ｓ、ＯおよびＮから選ばれる０〜４のへテロ原子を含む二環式飽和または不飽和８〜１２員環系であって、下記（ａ）、（ｂ）および（ｃ）群から独立に選ばれる４までの置換基で任意に置換されているもの、または
Ｒ’＝Ｓ、ＯおよびＮから選ばれる０〜３のへテロ原子を含む単環式飽和または不飽和５〜７員環であって、下記（ａ）および／または （ｃ）群から選ばれる少なくとも１の置換基を有し、さらに（ｂ）群から選ばれる１または２の置換基を任意に有するもの、
（ａ）Ｒ’環に直接結合しているか、またはアルキル、アルキルエーテル、アルキルチオエーテル、アルキルアミン、アルキルアミド、アルキルスルホンアミド、アルキルスルホン、アルキルウレア、アルキルケトンまたはアルキルエステルより選ばれ、６までの炭素原子を含むリンカーを介してＲ’環に結合している環状基；または
（ｂ）Ｈ、Ｃ１−７アルキル、Ｃ３−６シクロアルキル、ＯＨ、ＳＨ、ＮＨ2、ＮＨＣ１−３アルキル、Ｎ（Ｃ１−３アルキル）2、ハロゲン；または
（ｃ）Ｏ−Ｃ１−４アルキル、Ｓ−Ｃ１−４アルキル、ＳＯＣ１−４アルキル、ＳＯ2Ｃ１−４アルキル、ＣＯ2Ｃ０−４アルキル、ＮＨＣＯＣ０−４アルキル、ＣＯＮＨＣ０−４アルキル、ＣＯＣ０−４アルキル、ＮＨＣ（＝ＮＨ）ＮＨ2；
Ｒ３＝Ｃ１−７−アルキル、Ｃ２−Ｃ７アルケニル、Ｃ３−７−シクロアルキル、Ａｒ−Ｃ１−７−アルキル、Ａｒ；
Ｒ５＝Ｃ１−７−アルキル、Ａｒ−Ｃ１−７−アルキル、Ｃ０−３−アルキル−ＣＯＮＲ３Ｒ４またはＲiv；
Ｒivは式：
【化２】
2004520439.tif 000002
（式中、ｎ＝１−３、ｍ＝１−３；
Ｒv、Ｒvi＝Ｈ、Ｃ１−７−アルキル；
Ａ＝Ｎ、ＣＨ；
Ｂ＝Ｎ、Ｏ、Ｓ、ＣＨ；
ＢがＯ、ＳのときはＲvii＝不在；またはＢがＮ、ＣＨのときはＲvii＝Ｈ、Ｃ１−７−アルキル；
Ｒviii＝Ｏ、Ｃ１−７−アルキル）で示される基；
ここで、Ｃ１−Ｃ７アルキルは、１または２のハロゲンおよび／またはへテロ原子のＳ、Ｏ、ＮＨで任意に置換された直鎖および分枝鎖脂肪族炭素鎖であって、鎖の末端に位置するへテロ原子が１または２の水素原子で置換されているかまたは硫黄へテロ原子がスルホンに酸化されていてよいものを意味する；
Ｃ３−６またはＣ３−７−シクロアルキルは、Ｃ３−６またはＣ３−７炭素環をさらに含むＣ１−Ｃ７アルキルのあらゆる変形物を意味し、またはシクロアルキルは介在するＣ１−Ｃ７アルキルなしに隣接する炭素原子にスピロ結合している；
Ａｒは、フェニル、ピラゾリル、ピリジル、イミダゾリル、オキサゾリル、イソキサゾリル、チアジノリル、イソチアジノリル、チアゾリル、オキサジアゾリル、１,２,３−トリアゾリル、１,２,４−トリアゾリル、フラニルまたはチエニル芳香環であって、ハロゲン、Ｃ１−３−アルキル、ＯＨ、ＯＣ１−３−アルキル、ＳＨ、ＳＣ１−３−アルキル、アミンで任意に置換されたものを意味する；および
Ａｒ−Ｃ１−７−アルキルは、Ｃ１−Ｃ７アルキルを介して結合したＡｒを意味する）
で示される化合物および薬理学的に許容しうるその塩。
【請求項２】  Ｒ’二環式環が、ナフチル、キノリル、ベンゾフラニル、ベンゾチエニル、インドリル、インドリニルから選ばれる、請求項１に記載の化合物。
【請求項３】  結合がＲ’環の２位である、請求項２に記載の化合物。
【請求項４】  Ｒ’が、アルキルまたはアルキルエーテル結合により結合したモルホリンまたはＮ−メチルピペリジンで置換されている、請求項１ないし３のいずれかに記載の化合物。
【請求項５】  Ｒ１がＲ’Ｃ（Ｏ）である、請求項１ないし４のいずれかに記載の化合物。
【請求項６】  Ｒ３が、２−メチルプロプ−１−エニル、ベンジルまたは ｉ−ブチルである、請求項１ないし５のいずれかに記載の化合物。
【請求項７】  Ｒ３における立体化学が、天然または非天然Ｌ−アミノ酸に対応する、請求項１ないし６のいずれかに記載の化合物。
【請求項８】  Ｒ５が、ＣＨ3、Ｃ2Ｈ5、ＣＨ2Ａｒ、ＣＨ2ＣＯＮＨ2、（ＣＨ2）2ＣＯＮＨ2、ＣＨ2ＯＨ、式
【化３】
2004520439.tif 000003
で示される基である、請求項１ないし７のいずれかに記載の化合物。
【請求項９】  Ｒ５が、ＣＨ3、Ｃ2Ｈ5、またはＣＨ2ＯＨである、請求項８に記載の化合物。
【請求項１０】  Ｒ５およびＣ４結合がともに（Ｒ）立体化学を有する、請求項１ないし９のいずれかに記載の化合物。
【請求項１１】  Ｒ５およびＣ４結合がともに（Ｓ）立体化学を有する、請求項１ないし９のいずれかに記載の化合物。
【請求項１２】  Ｒ’が、環状置換基で置換された単環式環である、請求項１または５ないし１１のいずれかに記載の化合物。
【請求項１３】  単環式環が、好ましくは３位または４位で置換されたピリジル、ピリミジルまたはフェニルである、請求項１２に記載の化合物。
【請求項１４】  環状置換基が非芳香族である、請求項１２に記載の化合物。
【請求項１５】  非芳香族環状置換基が、ピロリジン−１−イル、ピペリジン−１−イル、モルホリン−４−イル、４−メチルピペラジン−１−イル、２−モルホリン−４−イル−エチルアミノ、およびピペラジン−１−イルよりなる群から選ばれる、請求項１４に記載の化合物。
【請求項１６】  請求項１ないし１５のいずれかに記載の化合物を有効成分として含む、カテプシンＫの活性に依存する疾患の治療または予防用剤。
【請求項１７】  該疾患が、歯周炎や変形性関節炎などの骨疾患である、請求項１６に記載のカテプシンＫの活性に依存する疾患の治療または予防用剤。
【請求項１８】  該疾患が、変形性関節炎や慢性関節リウマチなどの軟骨または基質の変性疾患である、請求項１６に記載のカテプシンＫの活性に依存する疾患の治療または予防用剤。
【請求項１９】  該疾患が新形成である、請求項１６に記載のカテプシンＫの活性に依存する疾患の治療または予防用剤。
【請求項２０】  請求項１ないし１５のいずれかに記載の化合物を有効成分として含む、寄生虫感染の治療または予防用剤。
【手続補正書】
【提出日】平成17年3月3日(2005.3.3)
【手続補正１】
【補正対象書類名】特許請求の範囲
【補正対象項目名】全文
【補正方法】変更
【補正の内容】
【特許請求の範囲】
【請求項１】
式（Ｉ）および式（ＩＩ）：
【化１】
2004520438.tif 000001
式中、
Ｒ１は水素、Ｃ１−８アルキル、Ｃ３−７シクロアルキル、アリール、アリール（Ｃ１−８アルキル、アリール（Ｃ２−８）アルケニル、ヘテロアリール（Ｃ１−８）アルキル、ヘテロアリール（Ｃ２−８）アルケニルおよびＲ４Ｃ（Ｏ）ＣＨ２−からなる群から選択され；ここでアリールおよびヘテロアリールはＲ４から独立して選択される１または２個の置換基で場合により置換され；
Ｒ２は水素、ヒドロキシ、Ｃ１−８アルコキシ、アリールオキシおよびアリール（Ｃ１−８）アルコキシからなる群から選択され；ただしＲ２はヘテロシクリル環に単結合で結合しているか；あるいはＲ２はオキソであり；ただしＲ２はヘテロシクリル環に二重結合で結合しおり；
Ｒ３はアリール、アリール（Ｃ１−８）アルキル、アリール（Ｃ２−８）アルケニル、ヘテロアリール（Ｃ１−８）アルキル、ヘテロアリール（Ｃ２−８）アルケニルからなる群から選択され；ここでアリールおよびヘテロアリールは、ハロゲン、Ｃ１−８アルキル、Ｃ１−８アルコキシ、アミノ、（Ｃ１−４アルキル）アミノ、ジ（Ｃ１−４アルキル）アミノ、トリハロ（Ｃ１−８）アルキルおよびトリハロ（Ｃ１−８）アルコキシからなる群から独立して選択される１〜３個の置換基で場合により置換され；
Ｒ４はヒドロキシ、アミノ、Ｃ１−８アルキル、（Ｃ１−４アルキル）アミノ、ジ（Ｃ１−４アルキル）アミノ、Ｃ１−８アルコキシ、カルボキシ、カルボキシ（Ｃ１−８）アルキル、カルボキシ（Ｃ１−８）アルコキシ、（カルボキシ）アミノ、（カルボキシ（Ｃ１−４）アルキル）アミノ、（カルボキシアリール）アミノ、（カルボキシアリール（Ｃ１−４）アルキル）アミノ、（カルボキシ（Ｃ１−４）アルキルアリール）アミノ、アリールオキシ、アリール（Ｃ１−８）アルコキシ、（アリール）アミノ、（アリール（Ｃ１−４）アルキル）アミノ、（Ｃ１−４アルキルアリール）アミノ、（アリールカルボキシ）アミノ、ジ（アリール）アミノ、ジ（アリール（Ｃ１−４）アルキル）アミノ、Ｃ１−８アルコキシカルボニル、Ｃ１−８アルコキシカルボニル（Ｃ１−８）アルコキシ、アミノカルボニル、（Ｃ１−８アルキル）アミノカルボニル、（カルボキシ（Ｃ１−８）アルキル）アミノカルボニル、（Ｃ１−８アルコキシカルボニル（Ｃ１−８）アルキル）アミノカルボニルおよびグアニジノからなる群から選択され；そして
Ｇは水素、ハロゲン、ヒドロキシ、Ｃ１−４アルキル、Ｃ１−８アルコキシ、アリール、アリールオキシ、アリール（Ｃ１−８）アルキル、アリール（Ｃ１−８）アルコキシ、アミノ、カルボキシ、アルキルアミノカルボニル、アルキルカルボニルアミノ、トリハロ（Ｃ１−８）アルキルおよびトリハロ（Ｃ１−８）アルコキシからなる群から選択される、
からなる群から選択される化合物およびそれらの製薬学的に許容され得る塩。
【請求項２】
Ｒ１が水素、ベンジル、フェネチル、フェニルプロピルおよびベンゾフリルメチルからなる群から選択され、ここでフェニル、ベンジルのフェニル部分およびベンゾフリルメチルのベンゾフリル部分がＲ４から選択される置換基で場合により置換される、請求項１に記載の化合物。
【請求項３】
Ｒ３がフェネテニレンおよびフェニルプロペニレンからなる群から独立して選択される置換基であり、フェニルが塩素およびフッ素からなる群から独立して選択される１〜３個の置換基で場合により置換される、請求項１に記載の化合物。
【請求項４】
Ｒ４がヒドロキシ、カルボキシ、カルボキシ（Ｃ１−８）アルコキシ、Ｃ１−８アルコキシカルボニル、Ｃ１−８アルコキシカルボニル（Ｃ１−８）アルコキシ、アミノカルボニル、（カルボキシ（Ｃ１−８）アルキル）アミノカルボニルおよびＣ１−８アルコキシカルボニル（Ｃ１−８）アルキル）アミノカルボニルからなる群から選択される、請求項１に記載の化合物。
【請求項５】
Ｇが水素、ハロゲン、ヒドロキシ、Ｃ１−４アルキル、Ｃ１−８アルコキシ、アリール、アリールオキシ、アリール（Ｃ１−８）アルキル、アリール（Ｃ１−８）アルコキシ、アミノおよびトリハロ（Ｃ１−８）アルキルからなる群から選択される、請求項１に記載の化合物。
【請求項６】
式：
【化２】
2004520438.tif 000002
式中、Ｒ４が
【表１】
2004520438.tif 000003
からなる群から選択される、
の請求項１に記載の化合物およびそれらの製薬学的に許容され得る塩。
【請求項７】
式：
【化４】
2004520438.tif 000004
式中、Ｒ１およびＲ３が
【表３】
2004520438.tif 000005
からなる群から依存的に選択される、
の化合物およびそれらの製薬学的に許容され得る塩。
【請求項８】
処置が必要な個体のセリンプロテアーゼおよび二重−セリンプロテアーゼが媒介する障害を処置する方法であって、治療に有効量の請求項１に記載の化合物を個体に投与することを含んでなる上記方法。
【請求項９】
セリンプロテアーゼまたは二重セリンプロテアーゼが媒介する疾患が、血栓障害、動脈血栓症、静脈血栓症、再狭窄、高血圧症、心不全、不整脈、心筋梗塞、急性心筋梗塞、血栓溶解治療後の再閉塞、血管形成術後の再閉塞、炎症、アンギナ、不安定狭心症、発作、アテローム性硬化症、虚血状態、神経変性障害（血栓性または虚血性状態に関連する）、喘息および炎症性腸症候群からなる群から選択される、請求項８に記載の方法。
【手続補正書】
【提出日】平成16年12月28日(2004.12.28)
【手続補正１】
【補正対象書類名】特許請求の範囲
【補正対象項目名】全文
【補正方法】変更
【補正の内容】
【特許請求の範囲】
【請求項１】
式：
【化１】
2004520473.tif 000001
式中、Y1およびY2は、独立して低級アルキレンまたは低級アルキレングリコール基であるが、Y2は２つ以上のアルコール基で置換されている；各X-は、別々にまたは一緒になって、生理的に許容されうるアニオンである、
を有する繰り返し単位により特徴づけられ、実質的にジフェノールを有さないポリマーまたはコポリマー。 
【請求項２】
ポリマーがホモポリマーである、請求項１記載のポリマー。
【請求項３】
ポリマーまたはコポリマーが、式XVIまたはXVII：
【化２】
2004520473.tif 000002
の繰り返し単位により特徴づけられる請求項１記載のポリマーまたはコポリマー。
【請求項４】
生理的に許容されうる担体または希釈剤および式：
【化３】
2004520473.tif 000003
式中、Y1およびY2は、各々、独立して、置換もしくは非置換の低級アルキレンまたは低級アルキレングリコール基である；各X-は、別々にまたは一緒になって、生理的に許容されうるアニオンである、
を有する繰り返し単位により特徴づけられるポリマーまたはコポリマー含有してなる医薬組成物。
【請求項５】
Y1およびY2により表される少なくとも１つの低級アルキレンまたは低級アルキレングリコール基が置換されている、請求項４記載の医薬組成物。
【請求項６】
ポリマーまたはコポリマーが、式XVIまたはXVII：
【化４】
2004520473.tif 000004
の繰り返し単位により特徴づけられる請求項４記載の医薬組成物。
【請求項７】
請求項１〜３いずれか記載のポリマーまたはコポリマーを含有する哺乳動物における微生物感染の治療のための医薬組成物。
【請求項８】
哺乳動物における微生物感染の治療のための治療剤を製造するための請求項１〜３いずれか記載のポリマーまたはコポリマーの使用。
【請求項９】
表面と請求項１〜３いずれか記載のポリマーまたはコポリマーの有効量とを接触させることを含む表面上の微生物の増殖を阻害する方法。 
【請求項１０】
式：
【化５】
2004520473.tif 000005
式中、各X-は、別々にまたは一緒になって、薬学的に許容されうるアニオンである、
を有する繰り返し単位により特徴づけられるポリマーまたはコポリマーならびに薬学的に許容されうる担体または希釈剤を含有してなる医薬組成物。
【請求項１１】
胃腸管における微生物感染の治療のための請求項１０記載の医薬組成物。 
【請求項１２】
式：
【化６】
2004520473.tif 000006
式中、各X-は、別々にまたは一緒になって、生理的に許容されうるアニオンである、
を有する繰り返し単位により特徴づけられるポリマーまたはコポリマーおよび薬学的に許容されうる担体または希釈剤を含有してなる医薬組成物。
【請求項１３】
口腔粘膜または胃腸管における微生物感染の治療のための請求項１２記載の医薬組成物。
【請求項１４】
式：
【化７】
2004520473.tif 000007
式中、各X-は、別々にまたは一緒になって生理的に許容されうるアニオンである、
を有する繰り返し単位により特徴づけられるコポリマー。
【請求項１５】
式：
【化８】
2004520473.tif 000008
式中、各X-は、別々にまたは一緒になって生理的に許容されうるアニオンである、
を有する繰り返し単位により特徴づけられるポリマーまたはコポリマーおよび薬学的に許容されうる担体または希釈剤を含有してなる医薬組成物。
【請求項１６】
請求項１４記載のコポリマーを含有する哺乳動物における微生物感染の治療のための医薬組成物。
【請求項１７】
哺乳動物における微生物感染の治療のための治療剤を製造するための請求項１４記載のコポリマーの使用。
【請求項１８】
表面と請求項１４記載のコポリマーの有効量とを接触させることを含む、表面上の微生物の増殖を阻害する方法。 
【請求項１９】
式：
【化９】
2004520473.tif 000009
式中、ｋは１〜10の整数である、
により表されるα,ω-アルキレンジピリジン、式：
【化１０】
2004520473.tif 000010
式中、ｋは１〜10の整数である、
により表されるジエポキシド、および酸を反応させることを含むヨネンポリマーの調製方法。
【請求項２０】
生理的に許容されうる担体または希釈液および式：
【化１１】
2004520473.tif 000011
式中、Y1およびY2は、各々、独立して、低級アルキレンまたは低級アルキレングリコール基であるが、Y2は２個以上のアルコール基で置換されている；各X-は、別々にまたは一緒になって、生理的に許容されうるアニオンである、
を有する繰り返し単位により特徴づけられるポリマーまたはコポリマーを含有してなる医薬組成物。
【請求項２１】
哺乳動物における微生物感染の治療のための請求項２０記載の医薬組成物。
【手続補正書】
【提出日】平成15年1月31日(2003.1.31)
【手続補正１】
【補正対象書類名】明細書
【補正対象項目名】請求項５
【補正方法】変更
【補正の内容】
【請求項５】
重量％で０．１％未満のＣ；０．０５−２．２％のＳｉ；２．１−７．８％のＭｎ；２０−２７．８％のＣｒ；３．０−９．５％のＮｉ；０．０８−０．５％のＮ；５．０％未満のＭｏ；１．２−８％のＷ；残部鉄および不可避不純物を含み、かつＭｏとＷがＭｏ＋０．５Ｗ＝０．８−４．４％という条件を満たすことを特徴とする、Ｍｏ−Ｗを含有する請求項１に記載の高マンガン二相ステンレス鋼。
【手続補正２】
【補正対象書類名】明細書
【補正対象項目名】０００７
【補正方法】変更
【補正の内容】
【０００７】
一方、高価なＮｉに替えるために、３０４型や３１６形ステンレス鋼として知られているＦｅ−Ｃｒ−Ｎｉ系オーステナイトステンレス鋼にＭｎを加えることも試みられてきた。しかし、Ｍｎの量が増加するにつれて、熱間加工性が劣化する、ゆえに、満足な成果が得られていない。この事実はＴ．Ｍ．Ｂｏｇｄａｎｏｖａ ｅｔａｌ．， Ｓｔｒｕｃｔｕｒｅ ａｎｄ Ｐｒｏｐｅｒｔｉｅｓ ｏｆ Ｎｏｎｍａｇｎｅｔｉｃ Ｓｔｅｅｌｓ， Ｍｏｓｃｏｗ， ＵＳＳＲ， ｐｐ． １８５−１９０，（１９８２）で報告された。そして、３１６Ｌ型、３０９Ｓ型、そして３１０Ｓ型のステンレス鋼ではＭｎとＳを含有する結果として、Ｍｎの含有量が高ければ高いほどＳの再析出や偏析が起こりやすくなり、それゆえ熱間加工性が劣化すると報告されている（Ｓ．Ｃ． Ｌｅｅ ｅｔａｌ．， ４０ｔｈ Ｍｅｃｈａｎｉｃａｌ Ｗｏｒｋｉｎｇ ａｎｄ Ｓｔｅｅｌ Ｐｒｏｃｅｅｄｉｎｇ Ｃｏｎｆ．， Ｐｉｔｔｓｂｕｒｇｈ， ＰＡ， ＵＳＡ， ｐｐ．９５９−９６６，（１９９８））。


【手続補正３】
【補正対象書類名】明細書
【補正対象項目名】００２０
【補正方法】変更
【補正の内容】
【００２０】
四番目は、Ｍｏ−Ｗを含有する二相ステンレス鋼であり、重量％で、０．１％未満のＣ；０．０５−２．２％のＳｉ；２．１−７．８％のＭｎ；２０−２７．８％のＣｒ；３．０−９．５％のＮｉ；０．０８−０．５％のＮ；５．０％未満のＭｏ；１．２−８％のＷ；残部Ｆｅおよび不可避不純物を含み、ＭｏとＷの含有量はＭｏ＋０．５Ｗ ＝ ０．８−４．４％という条件を満たす。
【手続補正書】
【提出日】平成15年10月15日(2003.10.15)
【手続補正１】
【補正対象書類名】特許請求の範囲
【補正対象項目名】全文
【補正方法】変更
【補正の内容】
【特許請求の範囲】
【請求項１】
動物への局所的適用のための殺寄生生物組成物であって、該組成物は、ピレスロイドまたはピレトリンおよびキャリアから本質的になり、ここで、該キャリアは、テルペン、テルペン誘導体、アルキルグリコールエーテルを有するテルペン、およびアルキルグリコールエーテルを有するテルペン誘導体からなる群より選択される、殺寄生生物組成物。
【請求項２】
動物への局所的適用のための殺寄生生物組成物であって、該組成物は、（ｉ）ピレスロイドまたはピレトリン、（ｉｉ）テルペンまたはテルペン誘導体、および（ｉｉｉ）アルキルグリコールエーテル、から本質的になる、殺寄生生物組成物。
【請求項３】
前記テルペンが、ｄ−リモネンである、請求項２に記載の組成物。
【請求項４】
前記アルキルグリコールエーテルが、プロピレングリコールモノメチルエーテル、ジプロピレングリコールモノエチルエーテルおよびジエチレングリコールモノメチルエーテルからなる群より選択される、請求項２に記載の組成物。
【請求項５】
前記アルキルグリコールエーテルが、プロピレングリコールモノメチルエーテルである、請求項４に記載の組成物。
【請求項６】
前記ピレスロイドが、ペルメトリンである、請求項５に記載の組成物。
【請求項７】
前記テルペンが、ｄ−リモネンである、請求項６に記載の組成物。
【請求項８】
前記ペルメトリンが、総組成物の５０重量％より多い量で存在する、請求項６に記載の組成物。
【請求項９】
前記ペルメトリンが、総組成物の６５重量％の量で存在する、請求項８に記載の組成物。
【請求項１０】
前記アルキルグリコールエーテルが、ジプロピレングリコールモノメチルエーテルである、請求項４に記載の組成物。
【請求項１１】
前記ピレスロイドが、ペルメトリンである、請求項１０に記載の組成物。
【請求項１２】
前記ペルメトリンが、総組成物の５０重量％より多い量で存在する、請求項１１に記載の組成物。
【請求項１３】
前記テルペンが、ｄ−リモネンである、請求項１２に記載の組成物。
【請求項１４】
前記ペルメトリンが、総組成物の６５重量％の量で存在する、請求項１３に記載の組成物。
【請求項１５】
前記キャリアが、前記組成物の約３０重量％〜約７０重量％の量で存在する、請求項１に記載の組成物。
【請求項１６】
動物への局所的適用のための殺寄生生物組成物であって、該組成物は、（ｉ）ペルメトリン、（ｉｉ）ｄ−リモネン、および（ｉｉｉ）プロピレングリコールモノメチルエーテル、から本質的になり、ここで、該ペルメトリンは、総組成物の５０重量％より多い量で存在する、殺寄生生物組成物。
【請求項１７】
前記ペルメトリンが、総組成物の６５重量％の量で存在する、請求項１６に記載の組成物。
【請求項１８】
請求項１７に記載の殺寄生生物組成物を含有する、動物に対する外寄生生物の外寄生を制御するための組成物。
【請求項１９】
前記動物が、イヌである、請求項１８に記載の組成物。
【請求項２０】
請求項２に記載の殺寄生生物組成物を含有する、動物に対する外寄生生物の外寄生を制御するための組成物。
【請求項２１】
前記動物が、イヌである、請求項２０に記載の組成物。
【手続補正書】
【提出日】平成17年1月4日(2005.1.4)
【手続補正１】
【補正対象書類名】明細書
【補正対象項目名】０００４
【補正方法】変更
【補正の内容】
【０００４】
【化１】
2004520389.tif 000001
（式中、
Ｒ１、Ｒ２およびＲ３は、同一または異なって、Ｈ、Ｃ１−６アルキル（フェニルで置換されていてもよい）、Ｃ３−５アルケニルまたはアルキニルまたはＣ３−１０シクロアルキルであり、またはＲ３は上記の通りで、Ｒ１およびＲ２は結合しているＮ原子と共に環を形成し、ピロリジニル、ピペリジニル、モルホリニル、４−メチルピペラジニルまたはイミダゾリル基を形成し；
ＸはＨ、Ｆ、Ｃｌ、Ｂｒ、Ｉ，ＯＨ、Ｃ１−６アルキルまたはアルコキシ、ＣＮ、カルボキサミド、カルボキシルまたは（Ｃ１−６アルキル）カルボニルであり；
ＡはＣＨ、ＣＨ２、ＣＨＦ、ＣＨＣｌ、ＣＨＢｒ、ＣＨＩ、ＣＨＣＨ３、Ｃ＝Ｏ、Ｃ＝Ｓ、ＣＳＣＨ３、Ｃ＝ＮＨ、ＣＮＨ２、ＣＮＨＣＨ３，ＣＮＨＣＯＯＣＨ３、ＣＮＨＣＮ、ＳＯ２またはＮであり；
ＢはＣＨ、ＣＨ２、ＣＨＦ、ＣＨＣｌ、ＣＨＢｒ、ＣＨＩ、Ｃ＝Ｏ、Ｎ、ＮＨまたはＮＣＨ３であり、およびｎは０または１であり；および
ＤはＣＨ、ＣＨ２、ＣＨＦ、ＣＨＣｌ、ＣＨＢｒ、ＣＨＩ、Ｃ＝Ｏ、Ｏ、Ｎ、ＮＨまたはＮＣＨ３であり；さらに当該明細書中に示される種々の但し書きを伴っている。）またはその薬学的の許容な塩である。ＷＯ００／４０２２６において、男性および女性の被験者への１〜３ｍｇの薬量における薬剤：（Ｒ）−５，６−ジヒドロ−５−（メチルアミノ）−４Ｈ−イミダゾ［４，５−ｉｊ］−キノリン−２（１Ｈ）−オン  （Ｚ）−２−ブテンジオエート（１：１）の、性的行為を行う前の０．５〜１時間に服用する処方について更なる検討がされており、そのような薬量および投与のタイミングにおいて、当該薬剤は治療上有効であることが示されている。具体的な剤形の種類については何らの情報も示されていない。
【手続補正書】
【提出日】平成16年12月9日(2004.12.9)
【手続補正１】
【補正対象書類名】特許請求の範囲
【補正対象項目名】全文
【補正方法】変更
【補正の内容】
【特許請求の範囲】
【請求項１】
式（１）：
【化１】
2004520312.tif 000001
〔式中、
Ｒ1は、水素、ヒドロキシル、又は非置換若しくは置換のアルキル若しくはアルコキシであり、
Ｒ2は、水素、又は水素に転換しうる置換基であり、そして、
ｎは、０、１又は２である〕
で示される化合物又はその塩の製造方法であって、
式（２）：
【化２】
2004520312.tif 000002
〔式中、Ｒ1、Ｒ2及びｎは上記で定義したとおりである〕で示される化合物をニッケル又はコバルト触媒の存在下で水素化することを含む方法。
【請求項２】
水素化後に、生成物を、式（１ａ）：
【化３】
2004520312.tif 000003
〔式中、Ｒ1、Ｒ2及びｎは請求項１で定義したとおりである〕で示される化合物を形成するギ酸との反応によって精製する、請求項１記載の方法。
【請求項３】
式（１ａ）：
【化４】
2004520312.tif 000004
〔式中、Ｒ1、Ｒ2及びｎは請求項１で定義したとおりである〕で示される化合物。
【請求項４】
式（３）：
【化５】
2004520312.tif 000005
〔式中、
Ｒ1は、水素、ヒドロキシル、又は非置換若しくは置換のアルキル若しくはアルコキシであり、
Ｒ2は、水素又は、水素に転換しうる置換基であり、そして、
ｎは、０、１又は２である〕
で示される化合物の製造方法であって、式（２）：
【化６】
2004520312.tif 000006
〔式中、Ｒ1、Ｒ2及びｎは上記で定義したとおりである〕で示される化合物をニッケル又はコバルト触媒の存在下で水素化して、式（１）：
【化７】
2004520312.tif 000007
〔式中、Ｒ1、Ｒ2及びｎは上記で定義したとおりである〕で示される化合物を得て、式（１）の化合物を式（３）で示される化合物に転換することを含む方法。
【手続補正書】
【提出日】平成16年11月12日(2004.11.12)
【手続補正１】
【補正対象書類名】特許請求の範囲
【補正対象項目名】全文
【補正方法】変更
【補正の内容】
【特許請求の範囲】
【請求項１】
次式で表される分岐エーテル第１級アルコールを含む分岐アルコール組成物。
【化１】
2004520311.tif 000001
（式中、Ｒ１は水素または１〜３個の炭素原子を有するヒドロカルビル基、Ｒ２は１〜７個の炭素原子を有するアルキル基、ｘは３〜１６の数値であり、アルコールの炭素原子の総数は９〜２４である）
【請求項２】
式ＸＯＳＯ３Ｍ（式中、Ｍは水素またはカチオン、Ｘは次式で表される）で表されるアルキルエーテル硫酸塩を含むアルキルエーテル硫酸塩組成物。
【化２】
2004520311.tif 000002
（式中、Ｒ１は水素または１〜３個の炭素原子を有するヒドロカルビル基、Ｒ２は１〜７個の炭素原子を有するアルキル基、ｘは３〜１６の数値であり、アルキルエーテル硫酸塩の炭素原子の総数は９〜２４である）
【請求項３】
次式で表されるアルコールアルコキシ硫酸塩を含むアルコールアルコキシ硫酸塩組成物。
【化３】
2004520311.tif 000003
（式中、Ｒ１は水素または１〜３個の炭素原子を有するヒドロカルビル基、Ｒ２は１〜７個の炭素原子を有するアルキル基、ｘは３〜１６の数値、Ａは２〜４個の炭素数のアルキレン基、ｙは１〜９の数値であり、Ａを除いたアルコールアルコキシ硫酸塩の炭素原子の総数は９〜２４であり、Ｍは水素またはカチオンである）
【請求項４】
次式で表されるアルカノールアルコキシレートを含む分岐アルカノールアルコキシレート組成物。
【化４】
2004520311.tif 000004
（式中、Ｒ１は水素または１〜３個の炭素原子を有するヒドロカルビル基、Ｒ２は１〜７個の炭素原子を有するアルキル基、ｘは３〜１６の数値、Ａは２〜４個の炭素数のアルキレン基、ｙは１〜９の数値であり、Ａを除いたアルカノールアルコキシレートの炭素原子の総数は９〜２４である）
【請求項５】
Ｒ２が１個の炭素原子を有するヒドロカルビル基である請求項１、２、３、または４に記載の組成物。
【請求項６】
Ｒ１が水素である請求項５に記載の組成物。
【請求項７】
ｘが３〜１３の数値である請求項１から６のいずれか一項に記載の組成物。
【請求項８】
請求項２、３、または４に記載の、あるいは請求項２、３、または４に従属する場合の請求項５、６、または７に記載の組成物を含む洗浄剤組成物。
【請求項９】
平均炭素数が３〜１８のオレフィンを１，３−プロパンジオールと、オレフィンをジオールと反応させるのに有効な触媒の存在下、分岐アルコール組成物を生成させるのに有効な条件下で接触させることを含む、請求項１、５、６又は７の何れか一項に記載の分岐アルコール組成物の製造方法。
【請求項１０】
ａ）平均炭素数が３〜１８のオレフィンを１，３−プロパンジオールと、オレフィンをジオールと反応させるのに有効な触媒の存在下で接触させ、それによって分岐アルコール組成物を生成させること、および
ｂ）分岐アルコール組成物を硫酸化剤と、分岐アルキルエーテル硫酸塩組成物を生成させるのに有効な条件下で接触させることを含む、請求項２、５、６又は７の何れか一項に記載の分岐アルキルエーテル硫酸塩組成物の製造方法。
【手続補正書】
【提出日】平成16年12月3日(2004.12.3)
【手続補正１】
【補正対象書類名】明細書
【補正対象項目名】請求項１
【補正方法】変更
【補正の内容】
【請求項１】タイプ−４のメチルプロピルケトンパーオキサイドの活性酸素の重量対すべてのメチルプロピルケトンパーオキサイドの合計活性酸素の重量として計算されて６０重量％より多いタイプ−４のメチルプロピルケトンパーオキサイド、ただし上記タイプ−４のメチルプロピルケトンパーオキサイドは全配合物の２５％超に相当する、及び圧力容器試験及びケーネン試験が０〜５０℃の温度における安全な取り扱い及び輸送を示すような量の非水性の減感剤を含むメチルプロピルケトンパーオキサイド配合物。
【手続補正２】
【補正対象書類名】明細書
【補正対象項目名】請求項７
【補正方法】変更
【補正の内容】
【請求項７】タイプ−４のメチルプロピルケトンパーオキサイドの活性酸素の重量対すべてのメチルプロピルケトンパーオキサイドの合計活性酸素の重量として計算されて６０重量％より多いタイプ−４のメチルプロピルケトンパーオキサイド及び圧力容器試験及びケーネン試験が０〜５０℃の温度における安全な取り扱い及び輸送を示すような量の非水性の減感剤を含むパーオキサイド組成物を用いて、不飽和ポリエステル樹脂を硬化する方法。
【手続補正書】
【提出日】平成16年12月1日(2004.12.1)
【手続補正１】
【補正対象書類名】特許請求の範囲
【補正対象項目名】全文
【補正方法】変更
【補正の内容】
【特許請求の範囲】
【請求項１】
フルオロメチルヘキサフルオロイソプロピルエーテル及びヘキサフルオロイソプロピルアルコールを含む粗組成物を、ヘキサフルオロイソプロピルアルコールに電子を与えることができる物質及びヘキサフルオロイソプロピルアルコールと優先的に結合することができる物質を含む改良剤と接触させて、この改良剤の存在下において前記エーテル及び／又は前記アルコールの蒸気圧を変え、それにより改良剤が存在しないこのエーテルとアルコールの蒸気圧の差よりもこのエーテルとアルコールの蒸気圧の差を大きくし、そして前記アルコールから前記エーテルを分離することを含む、フルオロメチルヘキサフルオロイソプロピルエーテルの精製方法。
【請求項２】
改良剤と粗組成物を含む混合物を加熱して前記エーテルもしくはアルコールを蒸留することにより、前記アルコールから前記エーテルを分離する、請求項１記載の方法。
【請求項３】
前記改良剤がアンモニア及び／又はアミンを含む、請求項１又は２に記載の方法。
【請求項４】
前記改良剤が脂肪族アミンまたは芳香族アミンを含む、請求項３に記載の方法。
【請求項５】
前記改良剤がトリブチルアミン、トリペンチルアミン又はアニリンを含む、請求項４記載の方法。
【請求項６】
前記改良剤が、アミン、アミジン、アミド、カルボニル、ヒドロキシル、チオール及びハロゲン基より選ばれる２種以上の官能基を含む、請求項１〜５のいずれか１項に記載の方法。
【請求項７】
前記改良剤が粗組成物と、少なくとも0.1：１のフルオロメチルヘキサフルオロイソプロピルエーテル及びヘキサフルオロイソプロピルアルコールのモル数に対する改良剤のモル数の比で接触される、請求項１〜６のいずれか１項に記載の方法。
【請求項８】
粗組成物が加熱され、それによりフルオロメチルヘキサフルオロイソプロピルエーテルが改良剤及びヘキサフルオロイソプロピルアルコールから分離される、請求項１〜７のいずれか１項に記載の方法。
【請求項９】
ヘキサフルオロイソプロピルアルコールと改良剤の残留物が再生され、精製したヘキサフルオロイソプロピルアルコールが得られる、請求項８記載の方法。
【請求項１０】
分離されたフルオロメチルヘキサフルオロイソプロピルエーテルが酸と接触され、フルオロメチルヘキサフルオロイソプロピルエーテル中に存在する改良剤が除去される、請求項８又は９記載の方法。
【請求項１１】
ホルムアルデヒドもしくはそのポリマー形態をフッ化水素及びヘキサフルオロイソプロピルアルコールと接触させることにより粗組成物が製造される、請求項１〜１０のいずれか１項に記載の方法。
【請求項１２】
ビスフルオロメチルエーテルとヘキサフルオロイソプロピルアルコールを酸の存在下において反応させることにより粗組成物が製造される、請求項１〜１０のいずれか１項に記載の方法。
【請求項１３】
酸の存在下においてビスフルオロメチルエーテルをヘキサフルオロイソプロピルアルコールと反応させてフルオロメチルヘキサフルオロイソプロピルエーテル及び未反応ヘキサフルオロイソプロピルアルコールを含む粗組成物を形成し、この粗組成物を、ヘキサフルオロイソプロピルアルコールに電子を与えることができる物質及びヘキサフルオロイソプロピルアルコールと優先的に結合することができる物質を含む改良剤と混合し、この混合物を蒸留し、粗組成物からフルオロメチルヘキサフルオロイソプロピルエーテルを回収することを含む、フルオロメチルヘキサフルオロイソプロピルエーテルの精製方法。
【請求項１４】
改良剤の存在下においてヘキサフルオロイソプロピルアルコールの蒸気圧を変え、それにより改良剤が存在しないときのエーテルとアルコールの蒸気圧の差よりもこのエーテルとアルコールの蒸気圧の差を大きくし、そして前記アルコールから前記エーテルを分離することを含む、請求項１３記載の方法。
【請求項１５】
ビス（フルオロメチル）エーテル及びヘキサフルオロイソプロピルアルコールが50℃未満の温度において反応される、請求項１２〜１４のいずれか１項に記載の方法。
【請求項１６】
ビス（フルオロメチル）エーテルが本質的に純粋である、請求項１２〜１５のいずれか１項に記載の方法。